(57)【要約】男性のために意図された失禁パンツ又はプルアップの如きパンツ形状吸収製品であって、前区域（１１）、後区域（８）、股区域（１２）、使用者の陰茎をカバーすることを意図される吸収要素（５）を含み、さらに液密外部層（３）を含むもの。前区域（１１）は弾性部材（２０）を有し、その弾性部材は製品使用中、前区域の上部限界縁（１９）が使用者の陰茎の下に位置される位置に、前記弾性部材の作用とは逆に、製品の前区域を引き下げることができる。吸収要素（５）は一以上の変形領域を伴って構成され、その変形領域は製品の前区域が引き下げられるときに吸収要素（５）の部分を降ろすことができる。製品の前区域（１１）は吸収要素とともに弾性部材（２０）によってその元の使用位置に戻るように配置される。
2005532110.tif 000002
【特許請求の範囲】
【請求項１】
男性のために意図された失禁パンツ又はプルアップの如きパンツ形状吸収製品であって、前区域（１１）、後区域（８）、股区域（１２）、前区域及び後区域を横方向において接続することを意図されかつヒップ区域を含む側区域（９，１０）、弾性ウエスト領域及び製品使用時に少なくとも使用者の陰茎をカバーすることを意図される吸収要素（５）を含み、さらに製品装着時に少なくとも使用者から離れて面する側上で吸収要素をカバーすることを意図される液密外部層（３）を含むものにおいて、前区域が少なくとも一つの弾性部材（２０）を有し、その弾性部材は製品使用中、少なくとも製品のヒップ区域が使用者のウエストのまわりで適所に保持されるように配置されると同時に、前区域の中央領域における前区域の上部限界縁（１９）が使用者の陰茎の下に位置される位置に、前記弾性部材（２０）の作用とは逆に、製品の前区域（１１）を引き下げることができること、吸収要素（５）が一以上の変形領域（２１，２２）を伴って構成され、その変形領域は製品の前区域（１１）が引き下げられるときに製品使用中使用者の陰茎の上に位置される吸収要素（５）の部分を前区域の残りとともに降ろすことができること、及び製品の前区域が吸収要素（５）とともに弾性部材（２０）によってその元の使用位置に戻るように配置されることを特徴とする吸収製品。
【請求項２】
前記弾性部材（２０）がその作用範囲の全体にわたって、延伸時に本質的に一定の引張応力を有し、その引張応力が弾性ウエスト領域の引張応力と同じオーダの大きさであることを特徴とする請求項１に記載の吸収製品。
【請求項３】
弾性部材（２０）が弾性ウエスト領域の区域によって構成されることを特徴とする請求項１又は２に記載の吸収製品。
【請求項４】
前記区域が前記ヒップ区域の間で前区域（１１）上に延びることを特徴とする請求項３に記載の吸収製品。
【請求項５】
弾性ウエスト領域が製品の前区域（１１）、後区域（８）及び側区域（９，１０）の全体の上に延びること、及び弾性部材（２０）として作用する弾性ウエスト領域の前記区域が弾性ウエスト領域の残りより高い弾性伸張性を有することを特徴とする請求項４に記載の吸収製品。
【請求項６】
吸収要素（５）が吸収要素（５）の残りと比較すると変形可能な領域においてより薄く（３０）かつより可撓性の形状を持つことを特徴とする請求項１〜５のいずれかに記載の吸収製品。
【請求項７】
吸収要素（５）が吸収要素（５）のための折りたたみノッチの形の変形可能な領域（２１，２２）を含み、その折りたたみノッチに沿って製品は製品の前区域（１１）が引き下げられるときに曲げられることを特徴とする請求項１〜５のいずれかに記載の吸収製品。
【請求項８】
前記折りたたみノッチが吸収要素におけるくぼみ、貫通スロット又は圧縮線によって構成されることを特徴とする請求項７に記載の吸収製品。
【請求項９】
吸収要素（５）が異なる範囲の少なくとも二つの吸収体（３０，３１）によって構成されること、これらのうち一つだけ（３０）が変形領域中に延びること、及び変形領域中に延びる吸収体（５）が内部剛性をほとんど持たないか又は全く持たないことを特徴とする請求項１〜６のいずれかに記載の吸収製品。
【請求項１０】
製品の前区域（１１）がウエスト領域において、股領域から見ると前記ヒップ区域（４１，４２）の間に凹形のくぼみ（４０）を有し、それによって製品の前区域が製品使用中低いパンツカットを取得し、その低いパンツカットは直線カットと比較すると、前区域（１１）の中央領域における製品の上部限界縁（１９）が前記限界縁を使用者の陰茎の下の位置にもたらすために引き下げられることが必要である量を減らすことを特徴とする請求項１〜９のいずれかに記載の吸収製品。
【請求項１１】
製品のヒップ区域が摩擦部材を与えられ、その摩擦部材は製品の前区域が引き下げられるときに製品が全体として使用者上の適所に保持されることを助けるように配置されることを特徴とする請求項１〜１０のいずれかに記載の吸収製品。
【請求項１２】
前記弾性ウエスト領域が少なくとも部分的に弾性第一部分（１）から形成され、その弾性第一部分は伸張状態において本質的に矩形であり、かつ使用者の胴を部分的に包囲してパンツ状製品のヒップ区域（４１，４２）を含む、後区域（８）及び側区域（９，１０）を形成することを意図されること、製品中に含まれる第二部分（２）がパンツ状製品の前区域（１１）及び股区域（１２）を形成するように形作られること、前記第二部分（２）が二つの対向する端縁及び二つの対向する縦縁を伴って細長いこと、第二部分（２）の幅が少なくとも股区域（１２）において第一部分（１）の長さより小さいこと、第二部分（２）の縦方向が第一部分（１）の縦方向に垂直に配置され、かつ第一端区域（６）によって第一部分（１）の一つの縦縁区域（７）にこの中央で接続されること、第一部分（１）の一つの端区域（１３）が第二部分（２）の第一側縁区域（１４）に接続されること、及び第一部分の第二端区域（１５）が対応して第二部分（２）の第二側縁区域（１６）に接続され、吸収要素（５）がその全体を第二部分（２）上に適合されることを特徴とする請求項１〜１１のいずれかに記載の吸収製品。
【請求項１３】
前記第一部分（１）及び第二部分（２）の前記接続された側縁区域（１４，１６）及び端区域（１３，１５）が接続前、重なる配置で適合され、重なる区域の内側が重ねられた区域の外側に対して置かれることを特徴とする請求項１２に記載の吸収製品。
【請求項１４】
吸収要素（５）がその縦方向において股区域（１２）の全体にわたって、そして製品使用中第二部分の上部側縁の方向に前区域（１１）にわたってわずかに延びることを特徴とする請求項１〜１３のいずれかに記載の吸収製品。
【請求項１５】
前記弾性部材（２０）が弾性不織布又は弾性フィルムによって構成されることを特徴とする請求項１〜１４のいずれかに記載の吸収製品。
【請求項１６】
前記弾性部材（２０）が弾性テープ又は糸によって構成されることを特徴とする請求項１〜１５のいずれかに記載の吸収製品。
【請求項１７】
吸収製品が製品に含まれるパンツ内に適合されることを意図される脱着可能なインサートの形で吸収要素（５）を有するツーピース製品によって構成されること、インサートが固定部材を与えられた後部液密層（３５）を有し、固定部材によってインサートがパンツに脱着可能に錨止されること、及びインサートは製品の前区域が引き下げられるときに前記固定部材によってパンツに対して適所に保持されるように配置されることを特徴とする請求項１〜１６のいずれかに記載の吸収製品。
【請求項１８】
吸収要素（５）が多数の別個の吸収体（５５）によって構成され、その吸収体が横方向に互いに隣接して適合されかつ前区域（１１）から後区域（８）への方向で製品の縦方向に延び、そしてその吸収体が横方向の弾性体（６０）の作用とは逆に縦方向に及び横方向に分離可能であり、それによって別個の吸収体は製品の前区域が引き下げられるときに相互に変位されることができることを特徴とする請求項１に記載の吸収製品。
【発明の詳細な説明】
【技術分野】
【０００１】
本発明は男性のために意図された失禁パンツ又はプルアップの如きパンツ形状吸収製品であって、前区域、後区域、股区域、前区域及び後区域を横方向において接続することを意図されかつヒップ区域を含む側区域、弾性ウエスト領域及び製品使用時に少なくとも使用者の陰茎をカバーすることを意図される吸収要素を含み、さらに製品装着時に少なくとも使用者から離れて面する側上で吸収要素を包囲することを意図される液密外部層を含むものに関する。
【背景技術】
【０００２】
尿を吸収するための吸収性使い捨て製品はそれらが１９６０年代〜１９７０年代にますます一般的に使用されるようになって以来、多く開発されている。それらは使い捨て製品であるので、それらは極めて低い価格で製造及び販売されうることが必要である。同時に、製品の機能が良好で信頼性があることが重要である。良好な適合性及び快適性もまた重要な特徴である。最初の使い捨ておむつは二つの部分からなる（ツーピース）製品、即ち再使用されることを意図されるプラスチック製の外部パンツ、及び一回使用のための矩形の吸収インサート製品から構成された。これらのインサート製品中の吸収材料は最初はセルロースから構成された。後で、いわゆるセルロース毛羽から作られた良好な吸収材料が開発された。これらの初期のおむつの適合性及び快適性は劣っていた。その製品は使用者にとって扱いにくく不快であった。１９７０年代の終わりにかけて、最初のいわゆる完成した使い捨ておむつが生まれた。即ち、吸収体が液密外部層と一体化されたおむつが完成した。吸収材料は開発及び改良され、それは吸収体が使用者の体形に良好に適応されうることを意味する。二つの端区域間に狭い股区域を有する砂時計形状の吸収芯は現在ほとんどを占めている。また、ますます薄い製品への傾向が増しており、それは吸収体中へのいわゆる超吸収材料の混合によって実現されている。薄くて小さい吸収体が望まれる理由は多く存在する。薄くて小さいほど、吸収体は快適であり、しかも目立たなくなる。それは大人の失禁症の使用者にとって特に重要である。体積の減少もまた経済的に極めて重要である。なぜならば必要とする貯蔵空間がより少なくなり、輸送が容易になり、しかも必要とする店の棚空間がより少なくなるからである。これは店の経済状態にとって重要であり、もし製造業者が競争業者の製品より少ない店の空間で済む製品を開発することができるなら、極めて大きな競争的利点が得られる。さらに、特に使い捨て物品において、環境汚染を減少する目的のためにできるだけ小さい材料を使用することが当局からの増大した圧力として存在する。
【０００３】
吸収体が小さくなればなるほど、吸収体が使用者の性器の直前の正確な場所に横たわり、使用者が極めて活動的でかつ多く動いたときであっても使用中適所に留まることがより重要になる。目立たないこと、快適性及び信頼性に対する消費者の要求はますます増大している。吸収体が装着時に正確に横たわり、次いで正しい場所で保持される条件はそれゆえ製品が使用者に適用されるときに製品が正しい場所に必ず横たわる必要性を増大させると同時に、製品の体に対する良好な固定の必要性及び使用者が動くときの体に対する良好な応答性を増大させている。これはいわゆるプルアップの開発に導く。それは従来の吸収製品と比較すると使用者の運動に対する増大した適合性及び快適性及び増大した応答性を有する。
【０００４】
使い捨てタイプのプルアップに関する初期の特許公報はＧＢ  ２１１２２６７−Ａである。しかしながら、１９８３年からのこの公報は商業的製品にならなかった原始的なプルアップを示す。１９９０年代まではパンツ状形状及び構成を有する吸収製品は商業的に成功しなかった。パンツ状製品は現在子供のおむつ及び大人のおむつの形で存在する。
【０００５】
従来市場で入手可能なプルアップは、原則として前区域及び後区域及び中間股区域を有し、前及び後区域が相互接続されている従来のおむつのように構成されていた。
【０００６】
市場で入手可能な公知のプルアップは女性に対しては満足に作用する。男性の失禁に関する限り、あらゆる点で満足のいくプルアップは今まで存在していない。
【０００７】
動き関連の問題を全く持たない男性の失禁症患者に対する主要な問題は男性のための公衆トイレが小便便器を有すること及びこれらの使用が使用者に前あきを有するパンツを持つことを要求することである。男性が小便便器のトイレへの訪問と関連してプルアップの全体を引き下げることは当然不便であり、それによって彼のまわりの者に対して陰部をさらし当惑させてしまう。これの結果は相対的に小さな失禁問題であっても毎日の生活において男性にとって極めて当惑してしまうことである。スポーツアリーナ及び他の主要なイベントへの訪問は実際、失禁問題を有する男性にとってほとんど不可能である。子供がおむつ離れしなければならないときに使用されるいわゆる“トイレトレーニングパンツ”もまた、対応して小さな少年に対してある程度問題を示す。何年にもわたって、上述の問題に対して多数の解決策が提案されている。全てのこれらの提案された解決策に共通していることはおむつ又はプルアップが前あき開口として作用することを意図される、ある形の開口を与えられることである。
【０００８】
米国特許第４３２６３０２号では、パンツが使用されるときに使用者の性器領域上に位置される吸収要素を受けるためのポケットを与えられたパンツを有するツーピース製品が記載されている。パンツはポケットの隣に開口を与えられ、その開口は前あき開口として作用することを意図される。この解決策は満足に働かない。なぜならば吸収要素は使用者が開口を介して彼の要求を満たす機会を与えるために横方向にしっかりと変位されなければならないからである。さらに、開口の使用後に吸収要素を正しい場所にもたらすことはやっかいであり、時間を消費する。
【０００９】
米国特許第４５８９８７７号では、吸収要素が分割されかつ部品が部品間に前あき開口を有する重複配置で適合されるインサートが記載されている。このデザインでの問題は重複領域のインサートが嵩高く扱いにくいことである。さらに、この公報による製品は製造することが困難である。また、前あき開口を通して漏出の危険がある。
【００１０】
米国特許第４９４４７３３号では、おむつのウエスト領域から股領域まで延びる開口を与えられたおむつが記載されている。開口は細長いスロットによって構成され、この開口は重複配置で適合される開口の両側上の区域によって閉じられる。おむつは開口を閉鎖状態で保持する接着固定手段を与えられる。このおむつデザインの根本的な欠点は前記接着固定手段であり、それはおむつが装着されるとき及び固定手段が開口を自由にするために元に戻さなければならないときに高い応力を受ける。この特許による製品の製造はやっかいでありコストがかかる。
【００１１】
米国特許第５８４３０６５号では、男性用失禁おむつが記載され、そのおむつは使用者の陰茎の前に直接位置される開口を与えられ、それを通して開口の内側に位置される吸収パッドがスロットの内側の陰茎へのアクセスのために折りたたまれることができる。このデザインは実際には実行できない。特に吸収パッドがトイレの訪問後に開口の内側の意図した場所に戻さなければならないときにそうである。さらに米国特許第５８４３０６５号による失禁おむつは扱いにくく、しかも製造するには費用がかかる。
【００１２】
これまでこれらの問題の満足する解決策は全く提案されておらず、これらの問題は古くて良く知られているという事実にもかかわらず市場には製品が現在全く存在しない。
【発明の開示】
【００１３】
本発明の結果として、改良されたパンツ形状吸収製品が製造され、その製品は上述の問題を完全に除去する。
【００１４】
冒頭に述べられたタイプの製品は本発明によれば、前区域が少なくとも一つの弾性部材を有し、その弾性部材は製品使用中、少なくとも製品のヒップ区域が使用者のウエストのまわりで適所に保持されるように配置されると同時に、前区域の中央領域における前区域の上部限界縁が使用者の陰茎の下に位置される位置に、前記弾性部材の作用とは逆に、製品の前区域を引き下げることができること、吸収要素が一以上の変形領域を伴って構成され、その変形領域は製品の前区域が引き下げられるときに製品使用中使用者の陰茎の上に位置される吸収要素の部分を前区域の残りとともに降ろすことができること、及び製品の前区域が吸収要素とともに弾性部材によってその元の使用位置に戻るように配置されることを特徴とする。
【００１５】
本発明による製品では、吸収製品上に特別な前あき開口は全く必要とされず、むしろ使用者は自分の手を外部パンツの前あき開口を通して導入し、簡単な操作によって吸収製品の前区域に案内して陰茎を自由にする。
【００１６】
一つの例によれば、本発明は、前記弾性部材がその作用範囲の全体にわたって、延伸時に本質的に一定の引張応力を有し、その引張応力が弾性ウエスト領域の引張応力と同じオーダの大きさであることを特徴とする。
【００１７】
一つの例によれば、本発明は、弾性部材が弾性ウエスト領域の区域によって構成されることを特徴とする。一つの例によれば、前記区域が前記ヒップ区域の間で前区域上に延びることを特徴とする。
【００１８】
一つの例によれば、本発明による製品は、弾性ウエスト領域が製品の前区域、後区域及び側区域の全体の上に延びること、及び弾性部材として作用する弾性ウエスト領域の前記区域が弾性ウエスト領域の残りより高い弾性伸張性を有することを特徴とする。
【００１９】
さらなる例によれば、本発明は、吸収要素が吸収要素の残りと比較すると変形可能な領域においてより薄くかつより可撓性の形状を持つことを特徴とする。
【００２０】
別の例によれば、本発明は、吸収要素が吸収要素のための折りたたみノッチの形の変形可能な領域を含み、その折りたたみノッチに沿って製品は製品の前区域が引き下げられるときに曲げられることを特徴とする。
【００２１】
さらなる例によれば、本発明は、前記折りたたみノッチが吸収要素におけるくぼみ、貫通スロット又は圧縮線によって構成されることを特徴とする。
【００２２】
別の例によれば、本発明による製品は、吸収要素が異なる範囲の少なくとも二つの吸収体によって構成されること、これらのうち一つだけが変形領域中に延びること、及び変形領域中に延びる吸収体が内部剛性をほとんど持たないか又は全く持たないことを特徴とする。
【００２３】
別の例によれば、本発明による製品は、製品の前区域がウエスト領域において、股領域から見ると前記ヒップ区域の間に凹形のくぼみを有し、それによって製品の前区域が製品使用中低いパンツカットを取得し、その低いパンツカットは直線カットと比較すると、前区域の中央領域における製品の上部限界縁が前記限界縁を使用者の陰茎の下の位置にもたらすために引き下げられることが必要である量を減らすことを特徴とする。
【００２４】
一つの例によれば、本発明による製品は、製品のヒップ区域が摩擦部材を与えられ、その摩擦部材は製品の前区域が引き下げられるときに製品が全体として使用者上の適所に保持されることを助けるように配置されることを特徴とする。
【００２５】
さらなる例によれば、本発明による製品は、前記弾性ウエスト区域が弾性第一部分から形成され、その弾性第一部分は伸張状態において本質的に矩形であり、かつ使用者の胴を部分的に包囲してパンツ状製品の後区域及び側区域を形成することを意図されること、製品中に含まれる第二部分がパンツ状製品の前区域及び股区域を形成するように形作られること、前記第二部分が二つの対向する端縁及び二つの対向する縦縁を伴って細長いこと、第二部分の幅が少なくとも股区域において第一部分の長さより小さいこと、第二部分の縦方向が第一部分の縦方向に垂直に配置され、かつ第一端区域によって第一部分の一つの縦縁区域にこの中央で接続されること、第一部分の一つの端区域が第二部分の第一側縁区域に接続されること、及び第一部分の第二端区域が対応して第二部分の第二側縁区域に接続され、吸収要素がその全体を第二部分上に適合されることを特徴とする。
【００２６】
後区域の全体も弾性であり、弾性側区域とともに単一の弾性連続第一部分を形成することによって、パンツは全体として体の動きに極めて良く応答する。局部的な乱れは連続弾性部分によって吸収され滑らかにされ、使用者の性器の前に直接位置される前区域及び股区域の弾性の劣る部分に伝わらない。従来のおむつ及び従来公知のパンツ形状の吸収製品と比較すると本発明による製品のこの例によれば、優れた適合性及び快適性が得られる。パンツ状衣料の大部分は全体に平坦なままである。必要とされる継目は前区域と第一部分の間の移行部及び股区域における第一部分と第二部分の間の移行部において適合される。これらの継目は製品使用中いかなる大きな圧力も受けない場所で終わり、現在入手可能な公知のプルアップと比較するとパンツ状製品上の継目によって生じる摩擦及び圧力傷の危険が少ない。
【００２７】
二つの部品片だけからのパンツ被覆であって吸収要素が第二の部品片上に全体に位置されるパンツ被覆の構成は、従来公知のパンツ形状製品と比較すると製造方法の選択の自由を増大する。
【００２８】
一つの例によれば、本発明は、前記第一部分及び第二部分の前記接続された側縁区域及び端区域が接続前、重なる配置で適合され、重なる区域の内側が重ねられた区域の外側に対して置かれることを特徴とする。
【００２９】
別の例によれば、本発明は、吸収要素がその縦方向において股区域の全体にわたって、そして製品使用中第二部分の上部側縁の方向に前区域にわたってわずかに延びることを特徴とする。
【００３０】
一つの例によれば、本発明による製品は、前記弾性部材が弾性不織布又は弾性フィルムによって構成されることを特徴とする。
【００３１】
別の例によれば、本発明による製品は、前記弾性部材が弾性テープ又は糸によって構成されることを特徴とする。
【００３２】
別の例によれば、本発明による製品は、吸収製品が製品に含まれるパンツ内に適合されることを意図される脱着可能なインサートの形で吸収要素を有するツーピース製品によって構成されること、インサートが固定部材を与えられた後部液密層を有し、固定部材によってインサートがパンツに脱着可能に錨止されること、及びインサートは製品の前区域が引き下げられるときに前記固定部材によってパンツに対して適所に保持されるように配置されることを特徴とする。
【００３３】
さらなる別の例によれば、本発明による製品は、吸収要素が多数の別個の吸収体によって構成され、その吸収体が横方向に互いに隣接して適合されかつ前区域から後区域への方向で製品の縦方向に延び、そしてその吸収体が横方向の弾性体の作用とは逆に縦方向に及び横方向に分離可能であり、それによって別個の吸収体は製品の前区域が引き下げられるときに相互に変位されることができることを特徴とする。
【００３４】
図面の簡単な記述
本発明は添付図面に示された図示例を参照して以下により詳細に記載されるだろう。
図１は第一例による吸収製品の展開した状態を概略的に示す。
図２は第一例による組み立てられた製品を平坦な形で概略的に示す。
図３は図２による製品を透視図で示す。
図４は図１の線ＩＶ−ＩＶに沿った断面を示す。
図５は本発明による吸収製品に含まれる吸収要素の例を平坦な形で概略的に示す。
図６は本発明による吸収製品に含まれる吸収要素の別の例を平坦な形で概略的に示す。
図７は第二例による吸収製品の展開した状態を概略的に示す。
図８は第二例による組み立てられた製品を平坦な形で示す。
図９は本発明による吸収製品に使用するための吸収要素のさらなる例の縦断面を示す。
図１０は本発明による吸収製品に使用するための吸収要素の別の例を平面図で示す。
図１１は本発明による吸収製品の吸収要素の変形領域の例の破断断面を示す。
図１２は本発明によるツーピース製品に含まれるインサートを平面図で示す。
図１３は本発明による吸収製品のさらなる例を示す。
図１４は本発明による吸収製品の別の図示例を概略的に示す。
図１５は図１による例に対して幾分変更した例を概略的に示す。
【発明を実施するための最良の形態】
【００３５】
図１からわかるように、図１による例の製品は第一部分１を含む。この部分は弾性的に伸張可能であり、図１では平面で均一に伸張された状態で示されており、そこでは弾性部分１は本質的に矩形である。弾性第一部分１は織られた弾性材料、弾性不織布又は弾性フィルムの如き当業者に良く知られた従来の材料から作られることができる。重要な点は製品装着時に弾性部分が使用者に対して延伸可能であること、及びそれが製品の装着時に、使用者のまわりで好適な緊張度で密接に適合することである。緊張度はもちろんサイズ及び弾性伸張性によって調整される。
【００３６】
製品は第二部分２を含み、それは図１及び４からわかるように外部層３、内部層４、及びこれらの間に配置された吸収要素５を含む。図１に示された例では、この吸収要素は本質的に三角形である。吸収要素の材料の選択は重要ではないが、当業者に良く知られた材料又は材料組み合わせから選択されることができる。例えば、吸収要素は粉末又は繊維の形の超吸収材料が混合されたセルロース毛羽から作られることができる。外部層３は例えば吸収製品のために従来使用されるタイプのポリエチレンフィルムからなることができる。外部繊維層と組み合わせた液密フィルムはもし織物状外観を有する吸収製品が求められるなら好適である。内部層４は液体透過性不織材料から作られることができる。第二部分２は細長く、第一部分１の長手方向に対して直角なその長手方向を伴って配置されている。第二部分２は一つの端部分６によって、第一部分１の一つの縦縁部分７に、その中央に接続されている。接続は例えば接着剤、熱結合又は超音波結合によってなされることができる。
【００３７】
図１では、矢印Ａ及びＢは第一及び第二部分が図２及び３に示されたパンツ形状の吸収製品を形成するためのどのように折りたたまれたかを示すために使用される。弾性部分１は製品の後区域８及び側区域９，１０を形成するために矢印Ａに従って折りたたまれ、一方第二部分は製品の前区域１１及び股区域１２を形成するために矢印Ｂに従って上方に折りたたまれる。
【００３８】
図３から最も明確にわかるように、第一部分の一つの端区域１３は第二部分の第一側縁区域１４に少し重なるように配置して適合され、第一部分の他の端区域１５は対応するように第二部分の第二側縁区域１６に少し重なるように配置して適合されている。これらの重なる部分は例えば接着剤、熱結合又は超音波結合によって相互接続される。あるいは前区域及び股区域は前述の重なる部分１３，１４及び１５，１６のそれぞれに沿って脱着自在に適合されることができる。この種の脱着可能な接続は例えばフック部材（図示せず）によって構成されることができ、その結果としてパンツ状製品は開放され、続いて同じ適合性及び緊張度で再び閉じることができる。
【００３９】
図４では、第二部分の厚さは明瞭のため誇張されている。図では、プラスチックフィルム１７と最外不織層１８の積層体からなる外部層３が示されている。内部層４は当業者に良く知られたタイプの液体透過性不織布によって構成されることができる。
【００４０】
前区域１１はその上部限界縁１９の近くまで弾性テープの形の弾性部材２０を与えられる。これは前区域に含まれる層３，４及び５のいずれかの上で予め緊張されて適合される。弾性部材はその作用範囲の全体にわたって、延伸時に本質的に一定の引張応力を有し、その引張応力は弾性第一部分１の引張応力と同じオーダの大きさであることが好ましい。弾性第一部分１の上部区域は弾性部材２０とともに周囲弾性ウエスト領域を形成する。
【００４１】
弾性部材２０は弾性第一部分１より高い弾性伸張性を有することが好ましく、それは弾性部材が弾性ウエスト領域の伸張時に弾性第一部分より大きい弾性運動を有することを意味する。同じ引張力を受けたときに弾性運動のこの差の目的はパンツ状製品の前区域が製品が使用者のウエスト領域からその全体を引き下げられる危険なしで引き下げられることができることである。使用中、パンツの前区域は前区域の中央領域における前区域の上部限界縁１９が使用者の陰茎の下に位置される位置に前記弾性部材２０の作用とは逆に前に引き下げることができるだろう。その目的は使用者が小便所に訪れたときに何ら問題なく片手で図２のダッシュ線によって示されたものに実質的に相当する前記位置に前区域をちょうど引き下げることができることである。ダッシュ線１９はこれが引き下げられた後の前区域の上部限界縁である。これはパンツがその全体を引き下げられずに実施されることができるだろう。図１−４に示された例では、製品の前区域が引き下げられるとき、図２からわかるように側部分９及び１０上の製品のヒップ区域は本質的に影響を受けず、使用者の無名骨上に適合した状態のままであるだろう。
【００４２】
パンツ状製品が使用者の陰茎を露出するために意図したように前部で引き下げられることができるためには、吸収要素５が損傷を受けずに制御された態様で変位又は変形されることができるように構成されることも要求される。
【００４３】
吸収要素５は使用者の股において刺激する摩擦を生じないようにするために製品使用中、後方を指す方向に先細になるように構成される。この先細構成での問題は吸収要素が製品使用中に使用者の性器の前で実質的に直接に位置される区域において最も狭く、その区域において吸収性の要求が最大になることである。粒子又は繊維形態の超吸収材料が吸収要素に含まれる一例によって、吸収要素の狭い区域の漏出の危険を実行できる限り避けるために、超吸収材料が前記先細の方向に増加する濃度で適用されることが好ましい。股区域の方向に先細になる吸収要素５の形状は、例えば股において制御されない態様で折りたたまれ、しかも嵩高く、同時に形成された折り目が吸収製品から外に横方向に受け入れられた尿を案内して尿漏出を生じうる矩形の吸収体より目立たない。
【００４４】
図１−４に示された図示例では、吸収要素は折りたたみノッチ２１，２２の形の変形可能な領域を与えられ、それに沿って吸収要素は製品の前区域が引き下げられるときに曲げられる。吸収要素５は最初に折りたたみノッチ２１で曲げられ、その後製品が折りたたみノッチ２２で引き下げられ続ける。少なくとも上部折りたたみノッチ２１は吸収要素がここで使用者から外に曲がるように構成される。いったん製品の前区域が完全に引き下げられると、吸収要素は長手方向の区域において一時的なＺ形状をとる。使用者が自分のニーズを満たし、パンツ及び弾性部材２０を手放すとき、パンツの前区域及び吸収要素５は弾性部材２０の弾性作用によってそれらの元の使用状態に戻る。
【００４５】
図１−４に示された例では、変形領域は横方向折りたたみノッチの形を有する。これは、製品がうまく引き下げられ、残留変形なしにその元の状態に戻ることを可能にする。もし異なる下方への折りたたみが望ましく、その間吸収要素が下方へ折りたたまれる間に使用者から外に空間をあまり必要としないなら、折りたたみノッチは、例えば折りたたみノッチがＵ又はＶ形状をとり、前記Ｕ又はＶ形状の腕が下方に先細になった吸収要素の側縁と本質的に平行であるように、異なる範囲で配置されることができる。
【００４６】
図５及び６では、吸収要素５上に配置されたＵ又はＶ形状折りたたみノッチ２１，２２の二つの例が示されている。折りたたみノッチの数はもちろん、前区域が引き下げられるときに吸収体がどのように変形されたいかによって垂直方向に二つより多くすることができる。
【００４７】
折りたたみノッチは相対的に幅広いくぼみの形であることもでき、そうでなければ図１−６に示されたものと同じ範囲で配置されることができる。
【００４８】
図１−６による例では、吸収要素５は本質的に三角形であり、製品使用中、前部で使用者上の全体に位置され、使用者の股区域の全体をカバーしない。吸収要素はもちろん、異なる形状を有することができ、例えば図７及び８に示されたような本質的に砂時計形状であることができる。図７及び８では、図１−４による例の同様な構成要素と比較して同じ参照符号が使用されている。
【００４９】
図９では、変形可能な領域３０を有する吸収要素５の代替的な実現例が示されている。吸収要素は想像上の使用位置での横断面で概略的に示される。吸収製品の他の詳細は簡単のため含まれていない。変形可能な領域はここでは吸収要素の残りより実質的に薄くかつ曲げ抵抗が低いことによって製造される。
【００５０】
図１０では、変形可能な領域３０を有する吸収要素５の同様の図示例が平面形態で示される。吸収要素はここでは一方が他方の上に適合された二つの別個の吸収体を含み、一方が二つの吸収体を一緒にしたものよりかなり薄くかつ曲げ抵抗も実質的に低い。
【００５１】
変形領域として作用する吸収体の図示例は吸収体の部分断面の形で概略図で拡大して図１１に示されている。ここで３０によって示される吸収体は隣接材料層の間に高吸収粒子３３の床を有する不織材料又はティッシュの多数の材料層３２を含む。このタイプの吸収体は例えば圧縮された毛羽材料から作られた他の従来の吸収体と比較すると内部剛性をほとんど持たないか又は全く持たず、それゆえ引き下げられる本発明による吸収製品の前区域と関連して容易に変形されることができる。吸収製品の前区域が使用者によって引き下げられるときに吸収体が粒子の凝集及び変位の結果として永続的に変形されることを防止するために高吸収粒子が材料層に結合されることが好都合である。この結合は粒子が全く結合されないときと比較して吸収体が実質的に剛くなるものではないだろう。
【００５２】
本発明による吸収製品は製品に含まれるパンツの内側に適合されることを意図される脱着可能なインサートの形で吸収要素を有するツーピース製品によって構成されることができる。インサートの図示例は図１２に示される。インサートは吸収要素５を含み、それは本質的にＶ形状変形領域２１，２２を与えられる。吸収要素は使用中使用者から離れて面する側上に液密層３５及びその反対側上に液体透過性層３６を含む被覆に包囲されている。二つの層は吸収要素を超えて横方向に延び、そこで相互に接合される。示された図示例では、インサートは製品の横方向における漏出保護の形成のため縦縁弾性体３７を与えられる。前部に面して適合されることになる端部のマーキングのため、層を含有する示されたインサートはこの端においてくぼみ３８を有する。インサートは図１−４による例と関連して記載されたタイプの弾性部材を与えられた外部パンツ（図示せず）に適合されることを意図される。液密層は外部パンツに対する脱着可能な錨止のために一以上の固定部材（図示せず）をその外側に与えられることが好都合であり、かくしてインサートはパンツ及び製品の変形可能な区域がトイレ訪問時に使用者によって引き下げられるとき及び製品の使用中にパンツの内側の意図した場所に固定的に位置する。
【００５３】
図１３に示された本発明による吸収製品の図示例では、製品の前区域はウエスト領域において股領域から見るとここで４１，４２によって示されるヒップ区域の間にくぼみ４０を有する。従って、製品使用中、製品の前区域は図１３からわかるように低いパンツカットをとる。直線カットと比較すると、これは前区域の中央領域の製品の上部限界縁１９が前記限界縁を使用者の陰茎の下の位置にもたらすために引き下げられることが必要である量を減らす。吸収製品は例えば製品の内側又は外側上で高い表面摩擦を有するフォーム材料又は摩擦接着剤の形の摩擦部材（図示せず）を前記ヒップ区域４１，４２に与えられることができる。摩擦部材は使用者がトイレ訪問と関連して彼の陰茎を自由にするために製品の前区域を引き下げるときに製品を全体に適所に維持するのを助けることを意図される。図１３による例では、他の例の同様の構成要素に相当する部分は同じ参照符号を与えられる。前区域の上部限界縁１９は引き下げられた後にダッシュドット線１９で図１３にマークされている。吸収製品の後区域８はウエスト弾性体２０´を与えられる。
【００５４】
本発明による製品はパンツ状形状を有する。パンツは異なる領域において同じ又は異なる弾性特性で全体的に又は部分的に弾性であることができる。弾性体は弾性不織材料、弾性フィルム又はこれらの材料の組み合わせによって構成されることができる。弾性体は弾性糸又はテープによって製造されることもでき、それは異なる領域において同じ又は異なる予備緊張で適合される。製品は周囲弾性ウエスト領域を有することが好ましく、それは使用者上の適所に製品を維持するためにウエスト弾性体を形成する。製品の前区域上の弾性部材２０は弾性ウエスト領域の区域を構成することができ、ウエスト弾性体の残りと比較すると同じ又は異なる弾性特性を有することができる。本質的なことは、弾性部材が製品の前区域を困難性なく引き下げることができ、前区域の中央領域の製品の上部限界縁が使用者の陰茎の下に位置されることである。
【００５５】
弾性フィルム及び弾性不織材料は一つより多い方向で弾性であるように構成されることができる。このタイプの材料はもちろん、製品の前区域においてこれの全体又は区域にわたって使用されることができる。弾性糸又は弾性テープのように、一つの方向だけ弾性であるフィルム又は不織布は弾性部材を形成するために使用されることもできる。
【００５６】
図１４では、二つの領域５１，５２によって形成された弾性部材を有し、そのフィルムが前記領域の一つの方向に弾性である本発明による製品の図示例が概略的に示される。前記領域における弾性体の方向はこれが前記領域の長手方向において有効であるように配置される。製品の前区域が引き下げられるとき、弾性的に延伸可能な領域の意図した引き下げが容易にされる。
【００５７】
図１５に示された例では、図１による例の同様の構成要素に相当する部分は同じ参照符号を与えられている。この例による吸収要素５は多数の別個の吸収体５５によって構成され、それらの吸収体は横方向に互いに隣接して適合され、かつ製品の長手方向において前区域から後区域まで延び、それらの吸収体は垂直方向及び横方向において横方向弾性体６０の作用とは逆に分離可能である。従って、別個の吸収体は製品の前区域が引き下げられるときに相互に変位可能である。吸収要素はこの場合においてＷＯ  ９１／０９５８０に与えられた記載に対応して構成される。ＷＯ  ９１／０９５８０は参照としてここに引用される。弾性部材２０はここでは多数の平行な弾性糸によって形成される。
【００５８】
本発明は上記図示例に限定されず、多数の変更が本発明の特許請求の範囲内で可能である。
【図面の簡単な説明】
【００５９】
【図１】第一例による吸収製品の展開した状態を概略的に示す。
【図２】第一例による組み立てられた製品を平坦な形で概略的に示す。
【図３】図２による製品を透視図で示す。
【図４】図１の線ＩＶ−ＩＶに沿った断面を示す。
【図５】本発明による吸収製品に含まれる吸収要素の例を平坦な形で概略的に示す。
【図６】本発明による吸収製品に含まれる吸収要素の別の例を平坦な形で概略的に示す。
【図７】第二例による吸収製品の展開した状態を概略的に示す。
【図８】第二例による組み立てられた製品を平坦な形で示す。
【図９】本発明による吸収製品に使用するための吸収要素のさらなる例の縦断面を示す。
【図１０】本発明による吸収製品に使用するための吸収要素の別の例を平面図で示す。
【図１１】本発明による吸収製品の吸収要素の変形領域の例の破断断面を示す。
【図１２】本発明によるツーピース製品に含まれるインサートを平面図で示す。
【図１３】本発明による吸収製品のさらなる例を示す。
【図１４】本発明による吸収製品の別の図示例を概略的に示す。
【図１５】図１による例に対して幾分変更した例を概略的に示す。
【図１】
2005532110.tif 000003
【図２】
2005532110.tif 000004
【図３】
2005532110.tif 000005
【図４】
2005532110.tif 000006
【図５】
2005532110.tif 000007
【図６】
2005532110.tif 000008
【図７】
2005532110.tif 000009
【図８】
2005532110.tif 000010
【図９】
2005532110.tif 000011
【図１０】
2005532110.tif 000012
【図１１】
2005532110.tif 000013
【図１２】
2005532110.tif 000014
【図１３】
2005532110.tif 000015
【図１４】
2005532110.tif 000016
【図１５】
2005532110.tif 000017
【国際調査報告】
2005532110.tif 000018
2005532110.tif 000019
2005532110.tif 000020